(57)【要約】【課題】  天板回転機構を持つテーブルにおいて、木材、金属、プラスチック、ガラスなどの目に見える一般的なマテリアルに加え、光をマテリアルの１つとして捉えることで、新しい意匠性を提供する。【解決手段】  ガラス、アクリルキャスト板、ポリカーボネートキャスト板、TAC樹脂などの透明板1、偏光フィルム2、複数枚貼り合わせた光軸を持つ透明シート3からなる、複数枚の固定天板4移動天板5を用い、支柱6を回転軸として天板が回転し、それによって光の発色を得る天板移動式テーブルを特徴とする。【選択図】図１
2011072347.tif 000002
【特許請求の範囲】
【請求項１】
透明板及び偏光フィルムからなる天板を2枚以上用い、これらの天板が重なり位置が変化するように相対的に移動するテーブル。
【請求項２】
前記天板には設置された状態で動かない固定天板および水平移動可能な移動天板が含まれ、光軸を持つ透明フィルムを2枚の偏光フィルムの間に1枚以上含む請求項１に記載のテーブル。
【請求項３】
前記固定天板または移動天板において、複数枚の光軸を持つ透明フィルムが互いに部分的に重なるように設置された請求項2記載のテーブル。
【請求項４】
少なくとも前記移動天板を支持する支柱を有し、前記移動天板は中止以外の位置を回転軸として、前記支柱に支持されている請求項2または3に記載のテーブル。
【請求項５】
固定天板と移動天板のいずれか、または両方に金属の枠を取り付け、その枠に複数本の支柱が取り付けられる機構を持ち、かつ各天板同士が相対的に平行に移動する請求項2〜4に記載のテーブル。
【発明の詳細な説明】
【技術分野】
【０００１】
本発明は、偏光により発色を得る天板移動機構を持つカフェテーブル、またはダイニングテーブルに関するものである。
【背景技術】
【０００２】
従来、天板移動式テーブルは、木材・金属・プラスチック・ガラスなどといった、目に見える素材のみで作られてきた。
【先行技術文献】
【特許文献】
【０００３】
【特許文献１】特開平11-042900
【発明の概要】
【発明が解決しようとする課題】
【０００４】
しかし、それでは強度や使いやすさは十分であっても、意匠面において、移動するがゆえでの意匠性が全く表現なされていないという問題点があった。
これでは、強度が保たれれば天板は何でもよいということになりかねず、意匠面において不十分であるといえる。
【０００５】
そこで、本発明は天板移動機構を持つテーブルにおいて、木材、金属、プラスチック、ガラスなどの目に見える一般的なマテリアルに加え、光をマテリアルの１つとして捉えることで、新しい意匠性を表現することを目的とするものである。
【課題を解決するための手段】
【０００６】
透明板1及び偏光フィルム２からなる天板を2枚以上用い、これらの天板が相対的に移動するテーブル。ただしこのテーブルは以下の条件を満たすものとする。
【０００７】
設置された状態で動かない固定天板4および水平移動可能な移動天板5が含まれ、光軸を持つ透明フィルム2を2枚の偏光フィルム3の間に1枚以上含む（図2参照）。
【０００８】
固定天板4または移動天板5において、複数枚の光軸を持つ透明フィルム2が互いに部分的に重なるように設置する（図4の天板模様参照）。
【０００９】
移動天板5を支持する支柱を少なくとも1本有し、移動天板5は中止以外の位置を回転軸として、前記支柱に支持されている。
【００１０】
固定天板4と移動天板5のいずれか、または両方に金属の枠を取り付け、その枠に複数本の支柱が取り付けられる機構を持ち、かつ各天板同士が相対的に平行に移動する機構とする。
【００１１】
本発明のテーブルは、ダイニングテーブルまたはカフェテーブルとして家庭、ホテル、ブライダルサロン、ショールーム、ブランドショップなどのインテリアで使用できる。
【発明の効果】
【００１２】
光をマテリアルとしてとらえることで、従来のテーブルのように、木材、金属、ガラス、プラスチックといったマテリアルだけでは表現できなかった意匠性を表現することができる。
【図面の簡単な説明】
【００１３】
【図１】本発明の機構部分の正面図である。
【図２】偏光フィルム2と光軸を持つ透明フィルム3の位置関係図である。
【図３】透明板1の位置関係図である。
【図４】本発明実施例の斜視図である。
【図５】本発明実施例の上面図である。
【発明を実施するための形態】
【００１４】
透明板1及び偏光フィルム2からなる天板を2枚以上用い、これらの天板が相対的に移動するテーブル。詳細は実施例として以下に示す。  
【実施例１】
【００１５】
図１のように偏光を妨げない素材であるガラス、アクリルキャスト板、ポリカーボネートキャスト板、TAC樹脂などの透明板1を2枚用いて、偏光フィルム2と厚さ20μmの光軸を持つ透明フィルム3を挟み込むか、または偏光を妨げない接着剤で透明板1に設置した固定天板4と移動天板5を用意する。
最初にこれら固定天板4、移動天板5の構成について補足説明をする。
まず各天板に共通する透明板1についてであるが、今回、天板1枚につき2枚使用しているが、透明板1は偏光を妨げない素材であるため、天板を構成する限りにおいて、どこに何枚設置してもよいものとする。
また、固定天板4の直径は移動天板5の直径よりも大きいものとし、固定天板4は、直径50〜120mm、厚さ5〜20mmの円形で、支柱6、支柱7、支柱8に直接取り付けられ最終的に動かないように固定される天板とする。さらに、移動天板5は、固定天板4の4分の1以上のサイズとし、回転軸となる支柱6のみに取り付けられ、固定天板4に対して水平方向に回転する機構をもつ天板とする。
【００１６】
次に、光軸を持つ透明フィルム3であるが、本テーブルが光の発色を得るために必要な複屈折を起こす性質を持ち、複数枚を部分的に重なるように設置すると、重なり部分によって厚みが変わる事で、様々な光の発色が得られる。従って図4の天板模様のようになるように、2〜10枚重ね合わせたもの用意する。
固定天板4において、偏光フィルム2が上、光軸を持つ透明フィルム3が下になるようにして、下部に長さ250mm〜700mmの円形の金属の支柱6、支柱7、支柱8を垂直に取り付ける。
ここで言う「金属」とは鉄にクロームメッキを施したもの、またはステンレス製の部材の事であり、以降も「金属」と呼ぶ。
この際、支柱6、支柱7、支柱8は同じ長さとし、それらの取り付け位置は、固定天板4と同じ中心で、固定天板4より10mm〜50mm小さい半径の円に内接する正三角形の頂点とし、回転軸となる支柱6の中ほどに、図１のように移動天板5を光軸を持つ透明フィルム3が上、偏光フィルム2が下になるように設置する。
ここで、本テーブルが光の発色を得るための原則として、2枚の偏光フィルム2の間に光軸を持つ透明フィルム3を1枚以上設ける必要がある事を明記しておく。
【００１７】
さらに、移動天板5の設置方法として、同天板の半径より内側に10mm〜50mm内側に入ったところに支柱6を通す穴を開け、フランジ状に金属部品で固定し、回転機構を持たせる。
補強のために、適宜金属の補強部材9をとりつけて、テーブルとして安全に使用できるようにする。
固定天板4、移動天板5共に回転軸が中心からずれているため、移動天板を回転させ、その様子を真上から見ると、両天板の重なる面積が回転に応じて変化し、それにともない光の発色面積や色自体も変化する。
ダイニングテーブルまたはカフェテーブルとして家庭、ホテル、ブライダルサロン、ショールーム、高級ブランドショップなどのインテリアで使用できる。
【実施例２】
【００１８】
実施例１において、固定天板4、移動天板5の位置関係を逆転させ、移動天板5を上に、固定天板4が下になるように設置する。
この時前記原則に基づいて、移動天板5において偏光フィルム2が上、光軸を持つ透明フィルム3が下、固定天板4において光軸を持つ透明フィルム3が上、偏光フィルム2が下になるようにする。
さらに前記と同じく、固定天板4を支柱6、支柱7、支柱8の3本の支柱で固定し、移動天板を回転軸となる支柱6に設置し、回転機構を持たせる。
移動天板5に置くものの高さが制限されないので、お酒のボトルや、背の高いグラスなどを置くのに適している。
【実施例３】
【００１９】
実施例１〜２において、固定天板4、移動天板5にそれぞれ厚み3mm、巾10mmの金属フレームを設置したもの用意する。
なお、設置方法は図５のように金属フレームに3箇所金属製の爪を設け、固定天板4と移動天板5を上からのせて、3つの爪で支えるだけとする。
更に、支柱6、支柱7、支柱8を前述した金属フレームに溶接して、実施例１〜２と同様に補強部材9を取り付ける。
構造体が全て金属でできているので、テーブルとして十分な強度を確保できるというメリットがある。
【実施例４】
【００２０】
実施例１〜３において、支柱を更に1本、固定天板4、移動天板5の中心に設置する。
この際、固定天板4、移動天板5の中心に設置された追加の支柱を回転軸となる支柱6とする。
移動天板5が固定天板4の上にある場合は中華テーブルとして、下にある場合はダイニングテーブルまたはカフェテーブルとして家庭、ホテル、ブライダルサロン、ショールーム、高級ブランドショップなどのインテリアで使用できる。
【実施例５】
【００２１】
実施例１〜４において、光軸を持つ透明フィルム3を取り除いた回転テーブル。天板同士が重なり合ったときに発色せずに、静かに明るくなったり暗くなったりするので、非常にシックなインテリア空間を演出できる。
【符号の説明】
【００２２】
１  透明板
２  偏光フィルム
３  光軸を持つ透明フィルム
４  固定天板
５  移動天板
６  天板の回転軸となる支柱
７  支柱２
８  支柱３
９  補助部材
【図１】
2011072347.tif 000003
【図２】
2011072347.tif 000004
【図３】
2011072347.tif 000005
【図４】
2011072347.tif 000006
【図５】
2011072347.tif 000007